(57)【特許請求の範囲】
【請求項１】
錠箱内に、デッドボルトの没入状態を保持する摺動部材及び該摺動部材用ストッパレバーを含むロック機構と、該ロック機構にロックされるダルマと、前記錠箱側に一端部が取付けられ、一方、他端部がダルマ側に取付けられた動力源としての付勢手段とを組込み、前記デッドボルトが錠箱内に没入している解錠時、前記ダルマが操作部材の操作力により施錠方向へ回転し始めた初期動作時に該ダルマと共働する前記摺動部材のラック板の位置変位を介して前記ロック機構のストッパレバーによるロック状態が解かれると、以後、ダルマは前記付勢手段の付勢力により自動的に施錠方向へと回動することを特徴とする錠前。
【請求項２】
請求項１に於いて、摺動部材は、少なくともダルマと噛合するラック板３５と、このラック板と互いに共働するように係合するスライダ板３４とから成り、ダルマの初期動作時、前記ラック板３５が前記スライダ板３４よりも先行移動してストッパレバーによるロック状態を解くことを特徴とする錠前。
【請求項３】
請求項１又は請求項２に於いて、ダルマ３は、半径外方向に延伸する係合アーム２５を有する駆動カム２２を備え、摺動部材が解錠位置から施錠位置まで移動する際、前記係合アーム２５の先端部２５ａでもって摺動部材の受け部分４６を追随的に後押することを特徴とする錠前。
【請求項４】
請求項１に於いて、付勢手段は、捩じりコイルバネと、該捩じりコイルバネの螺旋状中央部を横柱で支持する可動のバネガイドとから成ることを特徴とする錠前。
【請求項５】
請求項１に於いて、摺動部材は、錠箱の前壁の内面と錠箱の後壁の内面の間を、傾斜案内部を介して傾方向に往復運動をすることを特徴とする錠前。
【請求項６】
請求項１に於いて、ダルマには作動アーム１４Ａの上端部が枢支され、一方、該作動アームの下端部には、錠箱側に設けられた案内切欠部２０Ａに直接又は間接的に案内される横杆状のデッド用ストッパ１９Ａを取付け、該デッド用ストッパは、前記デッドボルトが付勢手段の付勢力によって完全に突出した施錠時には、前記案内切欠部に案内されてデッドボルトの後端面をロックすることを特徴とする錠前。
【発明の詳細な説明】
【技術分野】
【０００１】
本発明は、機械的錠前、機械的にも開閉可能な電気錠等の錠前に関する。
【背景技術】
【０００２】
特許文献１には、錠前の一例として電気錠が記載されている。この種の電気錠は、普通一般に、電気的に開閉が可能であると同時に、合鍵、サムターン摘み等の操作部材による操作力によっても機械的に開閉可能な施・解錠機構を備えている。
従来、例えば電気錠の解決すべき問題点は、いわゆるデッドボルトに側圧が掛かった場合に該デッドボルトが錠箱から完全突出しないとうことである。
【０００３】
けだし、電気錠の施・解錠機構（デッドボルトの出没を制御する機構）に関しては、制御部の制御（電気回路や記憶部の情報）に頼るというのが一般的発想なので、駆動源としては、電動モータと機械的に開閉可能なシリンダ錠の両方のみで十分である、と考えられていたからである。
【０００４】
付言すると、ダルマ（デッドカム）の回動は、電動モータ又はシリンダ錠のいずれかの駆動源で足りると考えられていたので、ダルマを駆動するためのその余の機械的駆動源を錠箱内に配設する必要性がなかった。
【０００５】
それ故に、例えばデッドボルトが解錠状態から施錠状態へと移動している途中に於いて、該デッドボルトに錠箱側から側圧が掛かった場合には、該デッドボルトが錠箱から完全突出しない事態が生じ、現在、このような問題点を解消することが要望されている。
また、例えば普通一般の合鍵、サムターン摘み等の操作部材の操作力によってのみ開閉する機械式錠前に於いても、上記問題点は同様であり、デッドボルトに側圧がかった場合又はデッドボルトに側圧がかからない場合のいずれであっても、操作部材の操作性の向上を図ることが要望されている。
【０００６】
特に、近年、バリヤ・フリーの観点から、操作部材を解錠位置から施錠位置まで（全回動範囲に）摘み部を摘みながら操作しなくても、初期時の回転操作（例えば若干ひねる、若干回す）だけで、以後ダルマ（デッドカム）が自動的に回転し、その結果、デッドボルトが自動的に完全に突出することが期待されている。
【先行技術文献】
【特許文献】
【０００７】
【特許文献１】特開平６−１０８７１６号公報
【発明の概要】
【発明が解決しようとする課題】
【０００８】
本発明の所期の目的は、錠前を機械的に施錠操作するとき、例えばサムターン摘みを指でもって施錠方向へ回転操作するときに、解錠位置から施錠位置まで常に手動操作をしなくても、初期時の回転操作（例えば若干ひねる、若干回す）だけで済むようにすることである。付言すると、バリヤ・フリーの観点から、施錠時における操作性の向上の図ることである。第２の目的は、初期時のダルマが回転した時に確実にロック機構のストッパレバーによるロック状態を解くことができることである。第３の目的は、動力源としての付勢手段の付勢力を追随的にサポートすることができることである。その他、動力源としての付勢手段が常に安定した状態で作用すること、錠箱内のスペースを有効活用すること、防犯性を確保すること等である。
【課題を解決するための手段】
【０００９】
本発明の錠前は、錠箱内に、デッドボルトの没入状態を保持する摺動部材及び該摺動部材用ストッパレバーを含むロック機構と、該ロック機構にロックされるダルマと、前記錠箱側に一端部が取付けられ、一方、他端部がダルマ側に取付けられた動力源としての付勢手段とを組込み、前記デッドボルトが錠箱内に没入している解錠時、前記ダルマが操作部材の操作力により施錠方向へ回転し始めた初期動作時に該ダルマと共働する前記摺動部材のラック板の位置変位を介して前記ロック機構のストッパレバーによるロック状態が解かれると、以後、ダルマは前記付勢手段の付勢力により自動的に施錠方向へと回動することを特徴とする。
【００１０】
上記構成に於いて、摺動部材は、少なくともダルマの噛合するラック板３５と、このラック板と互いに共働するように係合するスライダ板３４とから成り、ダルマの初期動作時、前記ラック板３５が前記スライダ板３４よりも先行移動してストッパレバーによるロック状態を解くことを特徴とする。また、ダルマ３は、半径外方向に延伸する係合アーム２５を有する駆動カム２２を備え、摺動部材が解錠位置から施錠位置まで移動する際、前記係合アーム２５の先端部２５ａでもって摺動部材の受け部分４６を追随的に後押することを特徴とする。また、付勢手段は、捩じりコイルバネと、該捩じりコイルバネの螺旋状中央部を横柱で支持する可動のバネガイドとから成ることを特徴とする。
【００１１】
さらに、摺動部材は、錠箱の前壁の内面と錠箱の後壁の内面の間を、傾斜案内部を介して傾方向に往復運動をすることを特徴とする。加えて、ダルマには作動アーム１４Ａの上端部が枢支され、一方、該作動アームの下端部には、錠箱側に設けられた案内切欠部２０Ａに直接又は間接的に案内される横杆状のデッド用ストッパ１９Ａを取付け、該デッド用ストッパは、前記デッドボルトが付勢手段の付勢力によって完全に突出した施錠時には、前記案内切欠部に案内されてデッドボルトの後端面をロックすることを特徴とする。
【発明の効果】
【００１２】
（１）デッドボルトが錠箱内に没入している解錠時、前記ダルマが操作部材の操作力により施錠方向へ回転し始めた初期動作時に該ダルマと共働する前記摺動部材のラック板の位置変位を介して前記ロック機構のストッパレバーによるロック状態が解かれると、以後、ダルマは前記付勢手段の付勢力により自動的に施錠方向へと回動して、前記デッドデッドも錠箱から自動的に完全に突出するので、バリヤ・フリーの観点から、施錠時における操作性の向上の図ることができる。付言すると、解錠位置から施錠位置まで常に手動操作をしなくても、初期時の回転操作（例えば若干ひねる、若干回す）だけで済む。
（２）請求項２に記載の発明は、摺動部材は、少なくともダルマと噛合するラック板３５と、このラック板と互いに共働するように係合するスライダ板３４とから成り、ダルマの初期動作時、前記ラック板３５が前記スライダ板３４よりも先行移動してストッパレバーによるロック状態を解くので（ロックされているスライダ板３４に対してタイミングを早く取るので）、操作部材を操作するときに、強く回す（ひねる）必要がない。
（３）請求項３に記載の発明は、ダルマ３は、半径外方向に延伸する係合アーム２５を有する駆動カム２２を備え、摺動部材が解錠位置から施錠位置まで移動する際、前記係合アーム２５でもって摺動部材の受け部分を後押するので、動力源としての付勢手段の付勢力を追随的にサポートすることができる。付言すると、付勢手段の付勢力に全てを頼る必要がない。
（４）請求項４に記載の発明は、付勢手段は、捩じりコイルバネと、該捩じりコイルバネの螺旋状中央部を横柱で支持する可動のバネガイドとから成るので、安定した状態で作用する。
（５）請求項５に記載の発明は、摺動部材は、錠箱の前壁の内面と錠箱の後壁の内面の間を、傾斜案内部を介して傾方向に往復運動をするので、錠箱内のスペースを有効活用することができ、特に、箱内のスペースを有効活用することが望まれる電気錠に適合する。
（６）請求項６に記載の発明は、ダルマに連動する作動アームの下端部にデッド用ストッパを取付けたので、デッドボルトが完全に突出する施錠時、簡単な機構によってデッドボルトをロックすることができる。
【図面の簡単な説明】
【００１３】
図１乃至図２３は本発明の最良の実施例（第１実施例）を示す各説明図。
【図１】錠前Ｘの設置環境の一例を示す概略説明図。
【図２】正面視側からの概略説明図（解錠時）。
【図３】背面視側からの概略説明図（解錠時）。
【図４】摺動部材とストッパレバーの斜視図。
【図５】摺動部材の正面視からの説明図。
【図６】図５の６−６線断面図。
【図７】図５の７−７線端面図。
【図８】摺動部材のスライダ板の正面視からの説明図。
【図９】摺動部材のラック板の正面視からの説明図。
【図１０】摺動部材のスライダ板とストッパレバーとの係止状態を正面視から示す説明図。
【図１１】図１０の状態に於いて、摺動部材のラック板とストッパレバーとの位置関係を示す概略説明図。
【図１２】ガイド板の長孔と摺動部材の各スライダコロとの係合関係を示す概略説明図。
【図１３】ダルマと摺動部材のラック板との噛合状態を示す概略説明図。
【図１４】摺動部材の初期移動時に於いて、ストッパレバーの係止が解除された作用を示す概略説明図。
【図１５】摺動部材のスライダ板とラック板が共働している概略説明図。
【図１６】付勢手段の斜視図。
【図１７】付勢手段の正面図。
【図１８】デッドボルト、動力変換部材等の分解斜視図。
【図１９】解錠時、デッドボルトの後端面から見た概略断面説明図。
【図２０】施錠時、デッドボルトの後端面から見た概略断面説明図。
【図２１】主要部の作動状態を示す概略説明図（解錠状態から完全施錠状態に至る）
【図２２】正面視側からの概略説明図（完全施錠状態）。
【図２３】主要部の作動状態を示す概略説明図。
【発明を実施するための形態】
【００１４】
以下、図１乃至図２３に示す本発明を実施するための最良の形態により説明する。図１は、本実施例の錠前の錠箱１を、例えば、ガラス扉２の自由端部側の縦框２ａの中に組み込むことができる概略説明図である。
【００１５】
錠箱１は、縦長に形成され、図２及び図３で示すように、該錠箱内には、デッドボルト（以下、ここでは当業者に通用する「デッド」の用語を用いる）の没入状態を保持する摺動部材３２及び該摺動部材用ストッパレバー３３を含むロック機構３１と、該ロック機構にロックされるダルマ３と、前記錠箱側に一端部が取付けられ、一方、他端部がダルマ側に取付けられた動力源としての付勢手段７０とが組込まれている。
【００１６】
ここで、錠前Ｘについて簡単に説明する。図２及び図３では、錠箱１の上端部側を省略しているが、該錠箱１の上端部側には、電動モータ、図示しない検出手段と共にスイッチング回路を構成するプリント基盤等の電気錠に必要な構成部材が適宜に組込まれる。
【００１７】
なお、特に図示しないが、電気錠に適用する場合には、自動施錠モード、又は連続解錠モードのいずれかに選択することができるモード切り換え手段（例えば操作スイッチ）が、例えば錠箱の前壁部、制御盤等の適宜箇所に設けられている。
【００１８】
したがって、本実施例の錠前Ｘは、電動モータ（例えば、マイクロモータ）の駆動力に基づいて、施・解錠することも可能であるが、後述するように、少なくとも操作部材の操作力により、機械的に施・解錠することができる。
【００１９】
まず、図２の正面視側からの概略説明図及び図３の背面視側からの概略説明図を参照にして、錠前Ｘ等を簡単に説明する。Ｘは錠前、Ｙは戸枠、Ｚは受け金具である。また、１ａは錠箱１の前壁、１ｂは錠箱の後壁、１ｃは錠箱の幅広側壁（以下、「側壁」という。）、１ｄはデッドが出没する貫孔である。
【００２０】
次に、図２乃至図１７を参照にして本発明の主要部を説明する。まず、３は縦長錠箱１の下部側に図示しない受け座あるいは、座部を介して回動自在に設けられたダルマで、このダルマ３は、正面視側（図２）に全体の形状が見えるダルマ本体２１と、背面視側に全体の形状が見える駆動カム２２とから成り、前記駆動カム２２は前記ダルマ本体２１と一体に結合している。本実施例の駆動カム２２は、後述するように、摺動部材３２が解錠位置から施錠位置まで移動する際、その先端部が摺動部材３２のスライド板３４の後端部に突出形成した受け部分４６に当って後押する。
【００２１】
しかして、ダルマ本体２１は座部に嵌合する表環状部２１ａに、異形の不番開口が形成されている。周知のように、前記不番開口には、図示しないテールピースあるいは、連結杆が挿通され、該連結杆を介してシリンダ錠の内筒が連結されている。したがって、ダルマ３は操作部材としての合鍵の操作力によって回動可能である。
【００２２】
また、ダルマ本体２１は、その表環状部２１ａに連設する円形状外周部２１ｂの一部にセクターギア２３と半径外方向へ山形状に突出する連結部２４をそれぞれ有している。前記セキターギア２３は、後述の摺動部材３２のラック板３５に噛合し、一方、前記突起状連結部２４には、後述する駆動リンク５が第２枢支ピン７を介して連結する。
【００２３】
ダルマ本体２１の裏側に合体する駆動カム２２も、図３で示すように側壁１ｃの座部に嵌合する裏環状部２２ａに異形の不番開口が形成されている。周知のように前記不番開口には図示しないサムターン軸が挿通され、該サムターン軸にサムターン摘みが連結されている。
【００２４】
したがって、ダルマ３は、操作部材としてのサムターン摘みの操作力によっても回動可能である。また、駆動カム２２は、その裏環状部２２ａに連設する円形状外周部２２ｂの一部に半径外方向へ人さし指状に延伸する係合アーム２５と、該係合アーム２５の根元あるいは根元付近にバネ端用の小突起２６をそれぞれ有している。前記小突起２６には、後述の付勢手段７０を構成する開脚変位バネ７１の他端部７１ｃが連結ピン２７を介して連結され、一方、前記係合アーム２５の折曲先端部は、後述の摺動部材３２を構成するラック板３５の被係合部に係合し、或いは係合可能である。
【００２５】
ここで、図２３を参照にしてダルマ３の係合アーム２５の折曲先端部２５と摺動部材３２との係合関係を説明する。本実施例の摺動部材３２は、少なくともダルマ３と噛合するラック板３５と、このラック板と互いに共働するように接合状態で係合するスライダ板３４とから成るが、ダルマ３が回転し始める初期の動作時、前記ラック板３５はダルマ３と噛合しているので、前記スライダ板３４よりも先行移動して、その押圧部４４でもってストッパレバー３３を若干回転させ、そのロック状態を解く。
【００２６】
このロック状態を解くまでスライダ板３４はストッパレバー３３により係止されているので、そのまま解錠位置に取り残されている。そこで、回転中のダルマ３（駆動カム２２）の係合アーム２５の折曲先端部２５の内側がスライダ板３４の後端部側の受け部分４６に当接するように衝突する。そして、このまま摺動部材３２を後押しながら（動力源としての付勢手段の付勢力を追随的にサポートしながら）矢印方向（施錠方向）へダルマ３と共働しながら位置変位していく。
【００２７】
次に、４はダルマ３の下方に水平状態に配設されたデッドで、該デッド４は短杆状の駆動リンク５を介して前記ダルマ３の突起部分に連結されている。付言すると、本実施例では、駆動リンク５は、その一端部がデッド側の第１枢支ピン６に、一方、他端部がダルマ側の第２枢支ピン７にそれぞれ軸支され、ダルマ３の回動力をデッド４の進退動（往復運動）に変換する。
【００２８】
また本実施例では、デッド４を案内する案内手段（ガイド板、ガイド溝、ガイド突起等）については、特に図示しないが、デッド４は、デッド４及び側壁１ｃに設けられた案内手段に案内され、出没自在に戸枠Ｙの受け金具Ｚに係脱する。
【００２９】
次に、３１は、デッドの没入状態を保持するロック機構で、該ロック機構３１は摺動部材３２及び該摺動部材用ストッパレバー３３を含み、ダルマ３を基準として、望ましくは、ダルマ３よりも上方に配設されている。図４は、ロック機構３１の摺動部材３２とストッパレバー３３をそれぞれ斜視図で示す。
【００３０】
まず、図４乃至図９を参照にして、摺動部材３２の具体的構成を説明する。図５は、摺動部材３２の正面図であるが、該摺動部材３２は、図８及び図９で示すように垂直のスライダ板３４（図８）と垂直のラック板３５（図９）の二枚から構成され、これらのスライダ板３４とラック板３５は前後方向に接合している。
【００３１】
図５を基準にすると、ラック板３５はスライダ板３４の手前側に位置し、両板３４，３５は水平方向に所定間隔離間して設けられた複数個の係合部、被係合部、水平切欠部３６，３７，３７ａ，３７ｂ，３７ｃと介して互いに共働するように組み合っている。
ここで、図８及び図９を参照にして、両板３４、３５を説明すると、３６はスライダ板３４の幅広下端部の手前側（前側）に突設された左右一対の係合突起、これに対して、３７は前記係合突起３６に係合するようにラック板３５の下端部に形成された左右の水平案内切欠と水平案内長孔である。手前側のラック板３５は、これらの係合部３６，３７を介して、所定量水平方向へ往復可能である。
【００３２】
また、３８，３９はスライダ板３４の中央部の前面に突設された左右の第１・第２案内突起部材で、図６の断面図と図７の端面図と比較すると明らかなように、一方側（図８では左側）の第１案内突起部材３８は、他方側（右側）の第２案内突起部材３９よりも手前側に多少突出している。
【００３３】
しかして、前記左側の第１案内突起部材３８は、その基端部がスライダ板３４の傾斜状左端部に固定された状態でラック板３５の左端部の逃し用水平案内切欠３７ａを貫通する第１支軸３８ａと、この第１支軸３８ａに取付けられた第１スライダコロ３８ｂ、ストッパコロ３８ｃ等から成り、前記第１支軸３８ａの突出先端部は適宜にかしめられている（図６参照）。
【００３４】
付言すると、第１支軸３８ａの突出先端部は、望ましくは不番のワッシャと面一になるようにかしめられている。この第１案内突起部材３８は、本実施例では、後述するように「ロック部材」の機能も兼用している。
【００３５】
一方、前記右側の第２案内突起部材３９は、その基端部がスライダ板３４の突起状右端部に固定された状態で、ラック板３５の復帰バネ４０収納用水平切欠部３７ｂを貫通する第２支軸３９ａと、この第２支軸３９ａに取り付けられた第２スライダコロ３９ｂ等から成り、前記第２支軸３９ａの突起先端部も第１支軸３８ａのそれと同様に適宜にかしめられている。したがって、第２案内突起部材３９は、ストッパコロ３８ｃを有しない分、その長さは第１案内突起部材３８よりも短くなっている（図７参照）。
【００３６】
また、スライダ板３５の第１・第２案内突起部材３８，３９の間には水平方向に所定長の復帰バネ４０用水平切欠部３７ｃが形成されている、それ故に、スライダ板３４の水平切欠部３７ｃの右端縁部には第１バネ受け部４１が設けられ、一方、ラック板３５の水平切欠部３７ｂの左端縁部には第２バネ受け部４２が設けられ、これらの第１・２バネ受け部４１，４２に復帰バネ４０の両端が支持された状態で両水平切欠部３７ｂ，３７ｃに収納される。
【００３７】
さらに、ラック板３５の構成について付言すると、ラック板３５の下端縁部には水平方向にダルマ３のセクターギア２３と噛合するラック４３が形成されており、また、ラック板３５の上端縁部の適宜個所には、後述するストッパレバー３３を押圧してロック機構３１のロック状態（ストッパレバーがスライダ３４の第１案内突起部材３８に係合している係止状態）を解くための単数又は複数の押圧部４４が形成されており、さらに、ラック板３５の裏側の一端部には、ダルマ３の駆動カム２２の係合アーム２５の内側が面接触状態で係合する突起状の被係合部４５が設けられている。
【００３８】
したがって、本実施例では、摺動部材３２は、ストッパレバー３３の先端部と係脱するロック部材３８を有するスライダ板３４と、このスライダ板に係合部・被係合部３６，３７を介して共働するように組み合わせられ、かつダルマ３のセクターギア２３と噛合するラック４３を有するラック板３５と、このラック板のバネ受け部４２と前記スライダ板のバネ受け部４１との間に組み込まれたラック板用復帰バネと４０から成り、合鍵、サムターン摘み等の操作部材を若干施錠方向へ回転操作すると、摺動部材３２のラック板３５は、ラック板用復帰バネ４０のバネ力に抗して若干施錠方向へと移動すると共に、ストッパレバー３３を押圧してロック機構３１のロック状態を解く。
【００３９】
ここで、図１２を参照にして、摺動部材３２を直線方向に案内するガイド板４７について説明する。ガイド板４７は、後述するストッパレバー３３と共に、錠箱の一側壁１ｃ（図２を基準にすると、手前側の正面の側壁）の内壁面に沿って適宜の固定されている。このガイド板４７の数、厚さ、形状等は任意に設計することができる事項であるが、単数又は複数のガイド板４７は、水平又は斜め方向（本実施例）の直線案内長孔４８を有し、該直線案内長孔４８には、第１・第２案内突起部材３８，３９の各スライダコロ３８ｂ、３９ｂが摺動自在に嵌合している。
【００４０】
次に、ロック機構３１を構成するストッパレバー３３について、図２、図１０及び図１１を参照にして説明する。図２で示すように、ストッパレバー３３はダルマ３の上方に固定支軸５１を介して回転自在に側壁１ｃに軸支されている。このストッパレバー３３は、図１０を基準にすると、固定支軸５１を基準として、上方にやや斜め方向に延伸する第１係合腕（いわば親指に相当）５２と、左斜め下方方向に延伸してスライダ板３４の第１案内突起部材（ロック部材）３８に係脱する第２係合腕（いわば人差し指に相当）５３と、右斜め下方方向に延伸してバネ部材５５の一端部を受けるバネ端受け部分５４と、前記第１係合腕５２と第２係合腕５３との間の適宜部位に小突起状に突出され、かつラック板３５の押圧部４４と摺設する受け部分５６とから成っている。
【００４１】
そして、前記第１係合腕５２の先端部には、錠箱の前壁１ａ側に設けられた図示しないトリガーの動力によって水平方向へ自在に移動する可動片６０の小突起６０ａが係合する係合孔５２ａが形成されている。なお、前述したバネ部材５５の他端部は錠箱の側壁１ｃ側に適宜に支持されている。
【００４２】
次に、動力源としての付勢手段７０について、図３、図１６及び図１７を参照にして説明する。付勢手段７０は、図３で示すようにダルマ３の駆動カム２２と錠箱の前壁１ａとの間の空間に配設されている。
【００４３】
本実施例の付勢手段７０は、捩じりコイルバネ７１と、該捩じりコイルバネを支持した状態で所定方向へ案内するバネガイド７２とから成る。
しかして、前記捩じりコイルバネ７１は、その両端部を延伸させた開脚変位バネであり、該開脚変位バネは７１、その螺旋状中央部７１ｂを保持しかつ一端部７１ａが固定軸７３を介して軸支された可動の前記バネガイド７２を介して開脚変位する。
【００４４】
前述したように、開脚変位バネ７１の他端部７１ｃは、本実施例では、ダルマ３の駆動カム２２の小突起２６に連結ピン２７を介して取付けられている。そして、本実施例の捩じりコイルバネ７１は、デッド４に対して、いわゆる側圧が掛かっている（負荷されている）場合であっても、電動モータの起動、操作部材による操作起動等による初期動力によって、摺動部材３２に対するロック機構３１のロック状態が解かれている限り、以後、ダルマ３を介してデッド４を完全に押し出すことができるよう、そのバネ力が設定されている。
【００４５】
図１６及び図１７は、バネガイド７２の一例を示す。バネガイド７２は、錠箱１の側壁１ｃを摺接する垂直ベース板部７２ａと、この垂直ベース板部７２ａの左右端部に連設する枠状の囲い部７２ｂとを有し、前記垂直ベース板部７２ａの基端部には軸孔が形成され、一方、垂直ベース板部７２ａのやや幅広自由端部の内面には前述した螺旋状中央部７１ｂが外嵌合する横柱７４が設けられている。バネガイド７２は、前記横柱７４を有しているので、開脚変位バネの螺旋状中央部７１ｂの巻数を多くしても、容易に変形せず、形態が常に一定の状態に保持されている。
【００４６】
次に、図１８乃至図２２を参照にして、ダルマ３の回動運動をデッド４の直線運動に変換する機構及びデッド用のストッパ１９Ａについて説明する。なお、この動力変換機構の一例は、本願発明の限定事項ではない。
【００４７】
さて、本実施例の動力変換手段５は駆動リンク５である。この駆動リンク５は、その一端部がデッド４側の第１枢支ピン６に、一方、他端部がダルマ側の第２枢支ピン７にそれぞれ軸支され、操作部材の操作力又は図示しない駆動モータの駆動力で回転するダルマ３の回転力を、デッド４の進退動に変換する。しかして、本実施例では、駆動リンク５は、その一端部（先端部）がデッド４の本体４ａの上辺に設けられた突起４ｂに第１枢支ピン６を介して軸支され、一方、その他端部（末端部）は、ダルマ３の外周縁部に第２枢支ピン７を介して直接軸支されている。
【００４８】
符号１９Ａはデッド用ストッパで、該デッド用ストッパ１９Ａは、施錠時、駆動リンク５とは異なる作動アーム１４Ａの位置変位により、デッド４の後端面と錠箱１の後壁１ｂの内壁面との間の空間に入り込んで該デッド４の後退を阻止する。
【００４９】
ところで、前記作動アーム１４Ａは、前記駆動リンク５に対して二本目のリンク（駆動リンクに連結されていないこと）である。付言すると、本実施例では、１本目、二本目及び三本目をそれぞれ連係させて一つのリンク機構を構成していない。また、その一端部（上端部）がダルマ３の周端部にダルマ側の第２枢支ピン７に対して所定間隔離間するダルマ側の第３枢支ピン８に軸支され、かつ、他端部（下端部）にデッド用ストッパ１９Ａを一体的に有し、該デッド用ストッパ１９Ａは、錠箱の左右の側壁１ｃ、１ｃに直接又は間接的（本実施例）に設けられた上下方向の曲線形状案内切欠部２０Ａ、２０Ａに案内されると共に、施錠時、前記案内切欠部２０Ａの終端部分に相当する垂直部２０ｃに落ち込んで、該デッド４の後退を確実に阻止（ロック）する横棒突起である。
【００５０】
また、前記曲線形状案内切欠部２０Ａは、錠箱１の左右側壁１ｃ、１ｃの各内壁面にそれぞれ固定された一対の案内固定板９，９にそれぞれ対向するように形成されている。そして、曲線形状案内切欠部２０Ａは、例えば図１８で示すように、上下方向に「ややＳ字型カーブ」を描くように形成され、その上端部に相当する垂直部分の始点２０ａから、中途部に相当する弧状或いは傾斜状部分２０ｂと、終端部分に相当する垂直部２０ｃとから成る。また、横棒突起のデッド用ストッパ１９Ａは、その両端部が前記左右一対の曲線形状案内切欠部２０Ａ、２０Ａに架設された状態で係合している。
【００５１】
図２１は、解錠時から施錠時に至る駆動リンク５とデッド用ストッパ１９Ａの動きを示す概略説明図である。解錠時、デッド４は、錠箱１内に後退している。この時、駆動リンク５は水平状態であるのに対して、作動アーム１４Ａはデッド４の上辺に垂直状態になっている。
【００５２】
付言すると、駆動リンク５の第１枢支ピン６と第２枢支ピン７は、同一水平線上に位置し、また、作動アーム１４Ａの第３枢支ピン８の真下に横棒状のストッパ１９Ａが位置している。そして、作動アーム１４Ａの下端部又はストッパ１９Ａは、デッド４の後端部に形成された傾斜状受け面１０の上端部分１０ａに当接している。
【００５３】
そこで、例えば動力源としての付勢手段７０のバネ力が作用すると、ダルマ３が反時計方向に回転し始める。ダルマ３が反時計方向に回転すると、ダルマ３とデッドボルト４は、第１枢支ピン６、第２枢支ピン７及び駆動リンク５を介して連結されているから、前記駆動リンク５がダルマ３の回転力を変換する押圧機能（突っ張り機能）を発揮し、デッド４は突出方向へと水平移動する。
【００５４】
そして、ダルマ３が回転し続けると、解錠状態から施錠状態に至る途中に於いて、デッド用ストッパ１９Ａが曲線形状案内切欠部２０Ａの中途部分２０ｂに案内されながらデッド４の後端部の傾斜状受け面１０を押し付ける。つまり、二本目のリンクに相当する作動アーム１４Ａが、駆動リンク５に共働として補助的にデッドボルト４を押し付ける。
【００５５】
施錠時、駆動リンク５が所定位置にて傾倒状態になると、ストッパ１９Ａが案内切欠部の終点に相当する垂直部２０ｃに落ち込んで、該デッド４の後退を阻止する。付言すると、デッド用ストッパ１９Ａは、少なくとも錠箱１の左右の側壁に間接的に設けられた一対の曲線形状案内切欠部２０Ａ、２０Ａの垂直部分２０ｃ、２０ｃに係止状態に架設されているので、デッド４は容易に後退しない。
【００５６】
最後に、各図を参照にして、本発明の主要部の作用について説明する。
前述したように、本実施例の錠前Ｘは、電気錠としても利用することができるが、少なくとも操作部材の操作力により機械的に施・解錠する。そこで、図２及び図３の解錠状態に於いて、図１３で示す操作部材の一例としてのサムターン摘み７６を若干施錠（矢印Ａ）方向へ回転操作すると、摺動部材３２のラック板３５は、ダルマ３の駆動カム２２のセクターギア２３により、復帰バネ４０のバネ力に抗して若干施錠（矢印Ｂ）方向へ直線移動する。
【００５７】
そうすると、ラック板３５の初期動作時、該ラック板３５の押圧部４４がストッパレバー３３の受け部分５６を突き上げるように押圧するので、該ストッパレバー３３は、固定支軸５１を支点に係止を解く矢印Ｃ方向（図１４では時計方向）に所要量回転する。
【００５８】
そして、摺動部材３２に対するロック機構３１のロック状態が解かれたので、付勢手段７０の捩じりコイルバネ７１は、収縮状態から外拡状態へと位置変位し、これによりそのバネ力がダルマ３に直接作用する。ダルマ３に付勢手段７０のバネ力が作用すると、該ダルマ３は、停止することなく、そのまま解錠方向へと回転し続けるので、図１５で示すようにスライダ板３４も係合部３６、被係合部３７等を介してラック板３５と共働して解錠位置へとガイド板４７の直線案内長孔４８に案内されながら移動する。
【００５９】
図２３は、ダルマ３の駆動カム２２の係合アーム２５及び摺動部材３２が解錠位置から施錠位置へと変位した状態を示す。このように、本実施例では、電動モータの起動、操作部材による操作起動等による初期動力によって、摺動部材３２に対するロック機構３１のロック状態が解かれる限り、以後、付勢手段７０のバネ力がダルマ３に掛かり、該ダルマ３は自動的に施錠方向へと回動して、かつデッド４も錠箱１から自動的に完全突出する。
【００６０】
なお、本発明の錠前のデッドの没入状態保持装置は、上記構成に於いて、前記デッド４が前記付勢手段７０の付勢力により錠箱１から完全に突出した施錠時に、操作部材を回転操作しながらダルマ３を前記付勢手段７０の付勢力に抗して前記錠箱１内に没入させた場合、前記ロック機構３１を構成する摺動部材３２は、そのラック板３５が前記ダルマ３に噛み合いながら施錠位置から解錠位置へと位置変位し、かつ位置変位した該摺動部材３２は前記ロック機構３１のストッパレバー３３に自動的に係止される。
【実施例】
【００６１】
本実施例の摺動部材３２は、望ましくは錠箱１の前壁１ａの内面と錠箱１の後壁１ｂの内面の間を、傾斜案内長孔４８を有するガイド板４７を介して傾方向に往復運動をする。このように構成すると、縦長の錠箱１の内部空間を有効的に活用することができる。
【００６２】
また、本実施例に於いて、ストッパレバー３３は、ストッパレバー用のバネ部材５５のバネ力によって摺動部材を係止する方向へと回転するが、もちろん、前記バネ部材５５のバネ力に代えて、磁性体の反発力により摺動部材３２を係止する方向へと回転させることもできる。磁性体の極性に基づく反発力を利用する場合には、錠箱の適宜箇所とストッパレバー３３の適宜箇所にそれぞれ磁性体が設けられる。
【００６３】
また、本実施例の摺動部材３２は、望ましくはストッパレバー３３の先端部と係脱するロック部材３８を有するスライダ板３４と、このスライダ板に係合部３６を介して共働するように組み合わせられ、かつダルマ３のセクターギア２３と噛合するラックを有するラック板３５と、このラック板のバネ受け部と前記スライダ板のバネ受け部との間に組み込まれたラック板用復帰バネ４０とから成るが、摺動部材３２は、二枚の板体にせず、一枚のラック板３５にしても良い。また、ストッパレバー３３及びラック板３５の形状については、任意に設計変更することができる事項である。
【００６４】
さらに、特に図示しないが、ダルマ３の回動運動をデッド４の往復運動に変換する事項も、駆動リンク５に代えて、特許文献１に記載のデッドカム（ダルマ）の半径外方向に延伸する作動カムにすることもできる。
【産業上の利用可能性】
【００６５】
本発明は、主に錠前や建具の業界で利用される。
【符号の説明】
【００６６】
１…錠箱、２…扉、３…ダルマ、５…駆動リンク、２１…ダルマ本体、２２…駆動カム、２５…係合アーム、２５ａ…先端部、３１…ロック機構、３２…摺動部材、３３…摺動部材用ストッパレバー、３４…スライダ板、３５…ラック板、４６…受け部分、４７…ガイド板、４８…傾斜案内長孔、７０…付勢手段、７１…捩じりコイルバネ、７１ｂ…中央部、７２…バネガイド、７４…横柱、７６…操作部材（合鍵、サムターン摘み、操作ボタン等）、１４Ａ…作動アーム、２０Ａ…案内切欠部、１９Ａ…デッド用ストッパ。
【図１】
0005538871.tif 000002
【図２】
0005538871.tif 000003
【図３】
0005538871.tif 000004
【図４】
0005538871.tif 000005
【図５】
0005538871.tif 000006
【図６】
0005538871.tif 000007
【図７】
0005538871.tif 000008
【図８】
0005538871.tif 000009
【図９】
0005538871.tif 000010
【図１０】
0005538871.tif 000011
【図１１】
0005538871.tif 000012
【図１２】
0005538871.tif 000013
【図１３】
0005538871.tif 000014
【図１４】
0005538871.tif 000015
【図１５】
0005538871.tif 000016
【図１６】
0005538871.tif 000017
【図１７】
0005538871.tif 000018
【図１８】
0005538871.tif 000019
【図１９】
0005538871.tif 000020
【図２０】
0005538871.tif 000021
【図２１】
0005538871.tif 000022
【図２２】
0005538871.tif 000023
【図２３】
0005538871.tif 000024